(57)【要約】【課題】多数の直管型の蛍光ランプの交換作業を簡易に行うことができる集合包装体を提供することを目的とする。【解決手段】本発明に係る集合包装体９００は、直管形の蛍光ランプ５０１を収納する個装サック１１０を複数集合させたサック集合体２００と、前記サック集合体２００を包装する包装箱体３００と、を有し、前記個装サック１１０に収納された個々の蛍光ランプ５０１に対応する位置配列を表示する位置配列表示部４００を、一対の第１天板フラップの一方に有し、前記位置配列表示部４００の個々の蛍光ランプ５０１に対応する位置配列表示の中に、前記個装サック１１０に収納された蛍光ランプが、新品の蛍光ランプであるか、若しくは、前記新品の蛍光ランプと交換された古い蛍光ランプであるか、を示す新旧表示部４４０を有する。【選択図】図１
2010089814.tif 000002
【特許請求の範囲】
【請求項１】
直管形の蛍光ランプを収納する個装サックを複数集合させたサック集合体と、
４枚の矩形状の側板により形成された角筒状の胴部と、一方に対向する一対の側板の上縁に折目線を介して連設された一対の第１天板フラップと、他方に対向する一対の側板の上縁に折目線を介して連設された一対の第２天板フラップと、を備えて前記サック集合体を包装する包装箱体と、を有する、集合包装体であって、
前記個装サックに収納された個々の蛍光ランプに対応する位置配列を表示する位置配列表示部を、前記一対の第１天板フラップの一方に有し、
前記位置配列表示部の個々の蛍光ランプに対応する位置配列の中に、前記個装サックに収納された蛍光ランプが、新品の蛍光ランプであるか、若しくは、前記新品の蛍光ランプと交換された古い蛍光ランプであるか、を示す新旧表示部を有する、
ことを特徴とする集合包装体。
【請求項２】
前記新旧表示部は、前記位置配列の中に設けられた切り込みであり、前記切り込みを押し広げることにより、前記個装サックに収納された蛍光ランプが交換された古い蛍光ランプであることを示す、
ことを特徴とする請求項１に記載の集合包装体。
【請求項３】
前記矩形状の側板と、前記一対の第１天板フラップと、前記一対の第２天板フラップとは、段ボールにより形成される、
ことを特徴とする請求項１又は２に記載の集合包装体。
【請求項４】
前記切り込みは、×字状、＋字状、レ字状、若しくは、＊状である、
ことを特徴とする請求項２に記載の集合包装体。
【請求項５】
前記個装サックに収納された個々の蛍光ランプに対応する位置配列を表示する位置配列表示部を、前記一対の第１天板フラップの他方にも有し、
前記一対の第１天板フラップの他方に設けられた位置配列表示部の個々の蛍光ランプに対応する位置配列の中に、前記新旧表示部を有する、
ことを特徴とする請求項１乃至４の何れか１項に記載の集合包装体。
【請求項６】
前記新旧表示部は、前記位置配列の中に設けられた、周囲を点線で縁取られた所定形状の図形であり、前記図形を抜き取ることにより、前記個装サックに収納された蛍光ランプが交換された古い蛍光ランプであることを示す、
ことを特徴とする請求項１に記載の集合包装体。
【発明の詳細な説明】
【技術分野】
【０００１】
本発明は、集合包装体に関する。より詳しくは、直管形の蛍光ランプを多数収納して包装できる集合包装体に関する。
【背景技術】
【０００２】
店舗やビル等における天井照明のメンテナンスとして直管型の蛍光ランプを交換する作業では、多数の蛍光ランプを必要とする。
【０００３】
そのため、かかる場合における蛍光ランプの交換作業は、特許文献１〜３に示されるような、直管形の蛍光ランプを収納する個装サックを複数集合させたサック集合体の単位で取り扱われる。
【０００４】
蛍光ランプの交換作業ではサック集合体より新しいランプを１本ずつ抜き出し、交換後に残る古いランプは先に取り出して空洞となった部分に戻していく。
【０００５】
これは蛍光ランプのガラス管バルブが割れる恐れがあることや、直管形の蛍光ランプが円柱であるので転がりやすい形状であるため、一時的にサック集合体へ戻したほうが持ち運びが便利なためである。
【０００６】
しかしながら、このような交換作業では、サック集合体に戻した蛍光ランプはその端部の電極部しか見えないので、新しい蛍光ランプか、それとも、交換して収めた古い蛍光ランプであるかの区別が困難である。
【０００７】
また、新しい蛍光ランプと古い蛍光ランプとが混じった状態で作業が終わった場合は、次に使用する場合に再度中身の確認が必要になる。
【０００８】
さらには、サック集合体内の新しい蛍光ランプと古い蛍光ランプとの区別をするために、マジック等で蛍光ランプの端部に印を付ける等を行う方法があるが、これは面倒な作業である。
【０００９】
【特許文献１】特開２００３−１９１９４９号公報
【特許文献２】特開平１１−３４９０５１号公報
【特許文献３】特開平１１−３４９０５２号公報
【発明の開示】
【発明が解決しようとする課題】
【００１０】
本発明は上述の問題に鑑みてなされたものであり、多数の直管型の蛍光ランプを交換する作業において、新しい蛍光ランプと古い蛍光ランプとの区別を容易にすることにより、交換作業をスムーズに行うことができる直管形の蛍光ランプの集合包装体を提供することを目的とする。また、多数の直管型の蛍光ランプの交換作業を簡易に行うことができる集合包装体を提供することを目的とする。
【課題を解決するための手段】
【００１１】
上記目的を達成するため、この発明の集合包装体は、
直管形の蛍光ランプを収納する個装サックを複数集合させたサック集合体と、
４枚の矩形状の側板により形成された角筒状の胴部と、一方に対向する一対の側板の上縁に折目線を介して連設された一対の第１天板フラップと、他方に対向する一対の側板の上縁に折目線を介して連設された一対の第２天板フラップと、を備えて前記サック集合体を包装する包装箱体と、を有する、集合包装体であって、
前記個装サックに収納された個々の蛍光ランプに対応する位置配列を表示する位置配列表示部を、前記一対の第１天板フラップの一方に有し、
前記位置配列表示部の個々の蛍光ランプに対応する位置配列の中に、前記個装サックに収納された蛍光ランプが、新品の蛍光ランプであるか、若しくは、前記新品の蛍光ランプと交換された古い蛍光ランプであるか、を示す新旧表示部を有する、ことを特徴とする。
【発明の効果】
【００１２】
本発明に係る集合包装体は、多数の直管型の蛍光ランプの交換作業を簡易に行うことができる。
【発明を実施するための最良の形態】
【００１３】
（実施形態１）
図１に示されるように、本実施形態に係る集合包装体９００は、サック集合体２００と、包装箱体３００と、位置配列表示部４００と、新旧表示部４４０と、を有する。
【００１４】
図２に示されるように、包装箱体３００はサック集合体２００を包装して集合包装体９００を形成する。
【００１５】
サック集合体２００は、直管形の蛍光ランプ５０１を収納する個装サック１１０を複数集合させたものである。本実施形態では、例えば、サック集合体２００は、個装サック１１０を縦５個、横５個で、合計２５個集合させたものである。
【００１６】
個装サック１１０は、片面段ボールを材質として、片面段ボールの段ボール面を内側にして形成される。片面段ボールの段ボール繊維の方向は、個装サック１１０内に包装される直管形の蛍光ランプ５０１の長手方向と平行である。これにより、個装サック１１０の物理的強度を保つことができる。
【００１７】
また、包装箱体３００は、角筒状の胴部３１０と、一対の第１天板フラップ３２０ａ，３２０ｂと、他方に対向する一対の第２天板フラップ３３０ａ，３３０ｂと、図示されていない底板と、を有する。
【００１８】
胴部３１０は、材質が段ボールである、４枚の矩形状の側板３１１ａ、３１１ｂ、３１１ｃ、３１１ｄにより形成される。一方において側板３１１ａと側板３１１ｃとが対向し、また、他方において側板３１１ｂと側板３１１ｄとが対向する。
【００１９】
第１天板フラップ３２０ａ，３２０ｂは、それぞれ、側板３１１ｄ，３１１ｂの上縁に折目線を介して連設される。
【００２０】
また、第２天板フラップ３３０ａ，３３０ｂは、それぞれ、側板３１１ａ，３１１ｃの上縁に折目線を介して連設される。
【００２１】
図１に示されるように、本実施形態では、個装サック１１０に収納された個々の蛍光ランプ５０１に対応する位置配列を表示する位置配列表示部４００が、一方の第１天板フラップ３２０ａに設けられている。
【００２２】
例えば、収納された蛍光ランプ５０１ａに対応する位置配列は４０１ａである。同様に、収納された蛍光ランプ５０１ｂ，５０１ｃ，５０１ｄ，５０１ｅに対応する位置配列は、それぞれ、４０１ｂ，４０１ｃ，４０１ｄ，４０１ｅである。
【００２３】
そして、位置配列表示部４００の個々の位置配列４０１の中には、新旧表示部４４０を有する。
【００２４】
本実施形態では、新旧表示部４４０は、例えば、×字状の切り込みである。この×字状の切り込みは、指等で簡単に押し広げることができる。
【００２５】
この×字状の切り込みが押し広げられていない場合は、収納された蛍光ランプ５０１が新品の蛍光ランプであることを示す。一方、図３に示されるように、×字状の切り込みが押し広げられている場合は、収納された蛍光ランプ５０１が交換された古い蛍光ランプであることを示す。
【００２６】
図３では、例えば、蛍光ランプ５０１ｃ，５０１ｄ，５０１ｅが交換された古い蛍光ランプであり、それに対応する位置配列４０１ｃ，４０１ｄ，４０１ｅが、指等により押し広げられている。
【００２７】
このように、新旧表示部４４０により、個装サック１１０に収納された蛍光ランプ５０１が交換された古い蛍光ランプであるか、それとも、交換前の新しい蛍光ランプであるか、簡易に判別することができる。従って、多数の直管型の蛍光ランプ５０１の交換作業を簡易に行うことができる。
【００２８】
（実施形態２）
本実施形態に係る集合包装体９００では、実施形態１と異なり、図４に示されるように、位置配列表示部４００が、一方の第１天板フラップ３２０ａに設けられているのみならず、他方の第１天板フラップ３２０ｂにも設けられている。
【００２９】
そして、他方の第１天板フラップ３２０ｂに設けられている位置配列表示部４００の個々の位置配列４０１の中にも、新旧表示部４４０が設けられる。
【００３０】
本実施形態によれば、仮に、交換された古い蛍光ランプに対応する×字状の切り込みを押し広げようとして、操作を誤って、隣の×字状の切り込みを押し広げてしまった場合でも、第１天板フラップ３２０ｂに設けられている位置配列表示部４００を使用し直すことで、正しく古い蛍光ランプか新しい蛍光ランプであるかを判別できる。従って、多数の直管型の蛍光ランプ５０１の交換作業を簡易に行うことができる。
【００３１】
（実施形態３）
本実施形態では、新旧表示部４４０は切れ込みではなく、図５に部分的に示されるように、周囲を点線で縁取られた所定形状の図形である。本実施形態では、周囲を点線で縁取られた円である。
【００３２】
点線で縁取られた円が存在する場合は、収納された蛍光ランプ５０１が新品の蛍光ランプであることを示す。一方、図５に示されるように、点線で縁取られた円が、指等で押し込まれて抜き取られている場合は、収納された蛍光ランプ５０１が交換された古い蛍光ランプであることを示す。
【００３３】
図５では、例えば、蛍光ランプ５０１ｃ，５０１ｄ，５０１ｅが交換された古い蛍光ランプであり、それに対応する位置配列４０１ｃ，４０１ｄ，４０１ｅにおいて、点線で縁取られた円が抜き取られている。
【００３４】
本実施形態においても、新旧表示部４４０により、個装サック１１０に収納された蛍光ランプ５０１が交換された古い蛍光ランプであるか、それとも、交換前の新しい蛍光ランプであるか、簡易に判別することができる。なお、周囲を点線で縁取られた円に限定されず、楕円、四角形、三角形、五角形等の種々の図形を使用できる。
【００３５】
（その他の実施形態）
上述の実施形態では、新旧表示部４４０である切り込みは×字状であった。もっともこのような実施形態に限定されることはない。新旧表示部４４０である切り込みは、指等で押し広げやすい形状であるならばどのような形状でも良く、例えば、＋字状、レ字状、＊状等の形状をとることができる。
【００３６】
上述の実施形態では、４枚の側板３１１ａ、３１１ｂ、３１１ｃ、３１１ｄ、及び、第１天板フラップ３２０ａ，３２０ｂ、及び、第２天板フラップ３３０ａ，３３０ｂは、段ボールにより形成された。もっともこのような実施形態に限定されることはない。これらの材質は厚紙等のコストが安く所定の強度を有する材質を利用することができる。
【００３７】
上述の実施形態では、収納された蛍光ランプ５０１ａ，５０１ｂ，５０１ｃ，５０１ｄ，５０１ｅに対応する位置配列は、それぞれ、４０１ａ，４０１ｂ，４０１ｃ，４０１ｄ，４０１ｅであった。もっとも個装サック１１０に収納された個々の蛍光ランプ５０１に対応する位置配列の表示はこのような実施形態に限定されない。例えば、収納された蛍光ランプ５０１ａ，５０１ｂ，５０１ｃ，５０１ｄ，５０１ｅに対応する位置配列を、それぞれ、４０１ｅ，４０１ｄ，４０１ｃ，４０１ｂ，４０１ａとすることも可能である。このように、個装サック１１０に収納された個々の蛍光ランプ５０１に対応する位置配列の表示は、集合包装体９００の使用者により適宜決定することができる。そのため本実施形態にかかる集合包装体９００の利便性は自由度が高い。
【００３８】
上述の実施形態では、多数の直管形の蛍光ランプ５０１の交換作業を簡易に行うことができる集合包装体９００につき説明をしたが、本実施形態に係る集合包装体９００は直管形の蛍光ランプ５０１以外の物の交換作業についても応用できる。
【図面の簡単な説明】
【００３９】
【図１】本実施形態に係る集合包装体を説明する図である。
【図２】本実施形態に係る集合包装体の個々の要素を詳細に説明する図である。
【図３】本実施形態に係る集合包装体の使用状態を説明する図である。
【図４】本実施形態２に係る集合包装体を説明する図であり、複数の位置配列表示部を有するものである。
【図５】本実施形態３に係る集合包装体を説明する図であり、新旧表示部が周囲を点線で縁取られた所定形状の図形である。
【符号の説明】
【００４０】
１１０    個装サック
２００    サック集合体
３００    包装箱体
３１０    胴部
４００    位置配列表示部
４４０    新旧表示部
５０１    蛍光ランプ
９００    集合包装体
【図１】
2010089814.tif 000003
【図２】
2010089814.tif 000004
【図３】
2010089814.tif 000005
【図４】
2010089814.tif 000006
【図５】
2010089814.tif 000007